(57)【要約】      （修正有）【課題】  着用者の股下領域に良好にフィットし、排泄物の漏れ防止効果の優れた吸収性物品を提供する。【解決手段】  液透過性の表面シートと、液不透過性の裏面シートと、これら両シートの間に配置された第１の吸収体とを有し、この吸収体４は股下領域は狭幅に形成されており、少なくとも股下領域の表面シート２上には、第１の吸収体の狭幅に形成された両側縁近傍から吸収性物品の長手方向両側縁近傍に至る幅を有する一対のシート部材８，８が吸収性物品１の長手方向に延びて配置され、該一対のシート部材は、吸収性物品の両側縁側に位置する側縁部と長手方向両端部が表面シート上に接合され、吸収性物品の中心側に位置する側縁部が非接合状態の自由縁になっており、少なくとも股下領域においてシート部材８，８には第２の吸収体９が配置されている。【選択図】  図１
2006102001.tif 000002
【特許請求の範囲】
【請求項１】
液透過性の表面シートと、液不透過性の裏面シートと、これら両シートの間に配置された第１の吸収体とを有し、前身頃と、後身頃と、これら前後身頃の間に位置する股下領域とからなる吸収性物品において、
前記第１の吸収体は、前記股下領域において狭幅に形成されており、少なくとも前記股下領域の前記表面シート上には、前記第１の吸収体の狭幅に形成された両側縁近傍から吸収性物品の長手方向両側縁近傍に至る幅を有する一対のシート部材が吸収性物品の長手方向に延びて配置され、該一対のシート部材は、吸収性物品の両側縁側に位置する側縁部と長手方向両端部が前記表面シート上に接合され、吸収性物品の中心側に位置する側縁部が非接合状態の自由縁になっており、
さらに、少なくとも前記股下領域において、前記シート部材には第２の吸収体が配置されていることを特徴とする吸収性物品。
【請求項２】
吸収性物品の前記股下領域は、幅方向の３分の１以上の領域が装着者の動きに追随して変形可能な低剛度領域であることを特徴とする請求項１記載の吸収性物品。
【請求項３】
前記第１の吸収体及び／又は第２の吸収体は、薄型の可撓吸収体であることを特徴とする請求項１又は請求項２に記載の吸収性物品。
【請求項４】
前記第１の吸収体には、少なくとも股下領域において長手方向に沿ってスリット状のエンボス加工が施されていることを特徴とする請求項１〜請求項３のいずれか１項に記載の吸収性物品。
【請求項５】
前記表面シートと裏面シートの聞及び／又は前記第１の吸収体と裏面シートの間には、少くとも股下領域において伸縮弾性部材が伸長状態で配置されていることを特徴とする請求項１〜請求項４のいずれか１項に記載の吸収性物品。
【請求項６】
吸収性物品の少なくとも股下領域の長手方向両側縁部には立体ギャザーが配置されていることを特徴とする請求項１〜請求項５のいずれか１項に記載の吸収性物品。
【請求項７】
前記シート部材の自由縁には、少なくとも股下領域において伸縮弾性部材が伸長状態で配置されていることを特徴とする請求項１〜請求項６のいずれか１項に記載の吸収性物品。
【請求項８】
前記一対のシート部材は、長手方向両端部側の領域において両シート部材が一体となっている一体構造のシート部材であることを特徴とする請求項１〜請求項７のいずれか１項に記載の吸収性物品。
【請求項９】
前記シート部材は２枚のウェブから形成されており、前記第２の吸収体は前記２枚のウェブの間に配置されていることを特徴とする請求項１〜請求項８のいずれか１項に記載の吸収性物品。
【請求項１０】
前記シート部材を形成する２枚のウェブは、親水性の液透過牲ウェブであることを特徴とする請求項９に記載の吸収性物品。
【請求項１１】
前記シート部材を形成する２枚のウェブのうち、前記第１の吸収体側に位置するウェブは撥水性のウェブであることを特徴とする請求項９に記載の吸収性物品。
【発明の詳細な説明】
【技術分野】
【０００１】
本発明は、使い捨ておむつ、尿パッド等の吸収性物品に関するものである。さらに詳しくは、本発明は、股下領域でのフィット性に優れ、排泄物の漏れ防止効果の優れた吸収性物品に関するものである。
【背景技術】
【０００２】
使い捨ておむつ等の吸収性物品は、液透過性の表面シートと、液不透過性の裏面シートと、これら両シートの間に配置された吸収体とから基本的に形成されており、着用時に排泄された尿等の排泄物を液透過性の表面シートを介して吸収体に保持し、液不透過性の裏面シートにより、排泄物が吸収性物品の外に漏れ出すのを防ぐ構造になっている。そしてその用途に応じて好適に使用できるように展開型、パンツ型等、様々な形態のものが提案されており、乳幼児を始めとして成人失禁者まで広く使用されている。
【０００３】
また、使い捨ておむつ等の吸収性物品は、一般に、排泄物の漏れ防止効果を高めるために、左右の長手方向両側縁部に沿って、通気性、撥水性を有する不織布等からなる、着用者の肌に向かって起立する立体ギャザーが形成されている。
【０００４】
さらに、最近では、漏れ防止効果をより確実に高めるために、立体ギャザーに吸収体を取付けた使い捨ておむつ（特許文献１、特許文献２、特許文献３）、あるいは、吸収体の股下部の位置に排泄物を収容する凹部を形成した使い捨ておむつ（特許文献４）等が提案されている。
【特許文献１】特開平３−２１８７５１号公報
【特許文献２】特開平４−１５０８５３号公報
【特許文献３】特開平１１−９９１７４号公報
【特許文献４】特開平８−１９１８５７号公報
【発明の開示】
【発明が解決しようとする課題】
【０００５】
しかしながら、立体ギャザーに吸収体を取付けた使い捨ておむつの場合、股下領域での吸収体の幅が広く、また、吸収体の厚さも厚く、剛直になるため、装着した場合に股下領域でのフィット性が悪くなり、時として、排泄物の漏れを生じる場合があった。さらに、吸収体の股下領域の位置に排泄物を収容する凹部を形成した使い捨ておむつの場合、股下領域の吸収体は、広幅で、厚さが厚く、剛直なものを使用する必要があるため、装着した場合に股下領域でのフィット性が悪くなり、排泄物の漏れを生じる可能性がある。
【０００６】
本発明は、上記従来の使い捨ておむつ等の吸収性物品の有する問題点を克服し、着用時に着用者の股下領域に良好にフィットし、排泄物の漏れ防止効果の優れた吸収性物品を提供するものである。
【課題を解決するための手段】
【０００７】
上記従来の吸収性物品の有する問題点を解決するための本発明は、以下の各発明を包含する。
【０００８】
（１）液透過性の表面シートと、液不透過性の裏面シートと、これら両シートの間に配置された第１の吸収体とを有し、前身頃と、後身頃と、これら前後身頃の間に位置する股下領域とからなる吸収性物品において、
前記第１の吸収体は、前記股下領域において狭幅に形成されており、少なくとも前記股下領域の前記表面シート上には、前記第１の吸収体の狭幅に形成された両側縁近傍から吸収性物品の長手方向両側縁近傍に至る幅を有する一対のシート部材が吸収性物品の長手方向に延びて配置され、該一対のシート部材は、吸収性物品の両側縁側に位置する側縁部と長手方向両端部が前記表面シート上に接合され、吸収性物品の中心側に位置する側縁部が非接合状態の自由縁になっており、
さらに、少なくとも前記股下領域において、前記シート部材には第２の吸収体が配置されていることを特徴とする吸収性物品。
【０００９】
（２）吸収性物品の前記股下領域は、幅方向の３分の１以上の領域が装着者の動きに追随して変形可能な低剛度領域であることを特徴とする（１）項記載の吸収性物品。
【００１０】
（３）前記第１の吸収体及び／又は第２の吸収体は、薄型の可撓吸収体であることを特徴とする（１）項又は（２）項に記載の吸収性物品。
【００１１】
（４）前記第１の吸収体には、少なくとも股下領域において長手方向に沿ってスリット状のエンボス加工が施されていることを特徴とする（１）項〜（３）項のいずれか１項に記載の吸収性物品。
【００１２】
（５）前記表面シートと裏面シートの聞及び／又は前記第１の吸収体と裏面シートの間には、少くとも股下領域において伸縮弾性部材が伸長状態で配置されていることを特徴とする（１）項〜（４）項のいずれか１項に記載の吸収性物品。
【００１３】
（６）吸収性物品の少なくとも股下領域の長手方向両側縁部には立体ギャザーが配置されていることを特徴とする（１）項〜（５）項のいずれか１項に記載の吸収性物品。
【００１４】
（７）前記シート部材の自由縁には、少なくとも股下領域において伸縮弾性部材が伸長状態で配置されていることを特徴とする（１）項〜（６）項のいずれか１項に記載の吸収性物品。
【００１５】
（８）前記一対のシート部材は、長手方向両端部側の領域において両シート部材が一体となっている一体構造のシート部材であることを特徴とする（１）項〜（７）項のいずれか１項に記載の吸収性物品。
【００１６】
（９）前記シート部材は２枚のウェブから形成されており、前記第２の吸収体は前記２枚のウェブの間に配置されていることを特徴とする（１）項〜（８）項のいずれか１項に記載の吸収性物品。
【００１７】
（１０）前記シート部材を形成する２枚のウェブは、親水性の液透過牲ウェブであることを特徴とする（９）項に記載の吸収性物品。
【００１８】
（１１）前記シート部材を形成する２枚のウェブのうち、前記第１の吸収体側に位置するウェブは撥水性のウェブであることを特徴とする（９）項に記載の吸収性物品。
【発明の効果】
【００１９】
本発明の吸収性物品は、吸収性物品を構成する第１の吸収体が股下領域において狭幅に形成されており、また、表面シート上には、第１の吸収体の狭幅に形成された両側縁近傍から吸収性物品の長手方向両側縁近傍にかけて吸収性物品の長手方向に延びる一対のシート部材が配置されており、さらに、シート部材には第２の吸収体が配置されている。
【００２０】
このような構成を有する本発明の吸収性物品は、これを装着した場合、第１の吸収体が狭幅に形成されており、着用者の体形や動きに合わせて股下領域が追従して変形するため股下領域においてフィット性が良好となる。また、着用時には、股下領域において、吸収性物品が衣類側に湾曲してシート部材との間にポケット構造が形成されるため、排泄物が収納され易くなり、さらに、排泄物がポケット構造に収納されない場合でも、ポケット構造を形成するシート部材に配置した第２の吸収体により吸収されるため、より確実に漏れ防止効果を向上させることができるものである。
【００２１】
本発明の吸収性物品の場合、股下領域の少なくとも幅方向の３分の１の領域を低剛度材料により可撓性領域とする、第１の吸収体を薄型の吸収体とする、第１の吸収体に長手方向に連続又は不連続のエンボス加工を施す、表面シートと裏面シートの聞及び／又は第１の吸収体と裏面シートの間に弾性部材を伸長状態で配置する、あるいは、ポケット構造を形成するシート部材の自由縁側の側縁部に伸縮弾性部材を伸長状態で配置する等により、ポケット構造を形成され易くすることができ、上記の効果をより高めることができる。
【発明を実施するための最良の形態】
【００２２】
以下、図面を参照して、使い捨ておむつを例にして本発明の吸収性物品を詳細に説明するが、勿論、本発明はこれらによって何等制限されるものではない。
図１は、本発明の吸収性物品である使い捨ておむつを示す一部切り欠き平面図である。
図１において、使い捨ておむつ１は、液透過性の表面シート２と、液不透過性の裏面シート３と、これら両シートの間に配置された第１の吸収体４とを有し、前身頃５と、後身頃６と、これら両身頃の間に位置する股下領域７とから基本的に形成されている。
【００２３】
そして、第１の吸収体４は、股下領域７において狭幅に形成されており、さらに、表面シート２上には、第１の吸収体４の狭幅に形成された両側縁近傍からおむつ１の長手方向両側縁近傍に至る幅を有し、その第１の吸収体の両側縁近傍（中心部側）の側縁部が自由縁であり、反対側の側縁部が表面シート上に接着されて固定部となっている一対のシート部材８がおむつの長手方向両端部又はその近傍まで延びて配置されており、一対のシート部材８には第２の吸収体９が配置されている。
【００２４】
さらに、おむつ１には、股下領域７の長手方向両側縁部に脚周り弾性部材１０が配置され、後身頃６の端部領域にウエスト周り弾性部材１１が配置され、後身頃６の長手方向両側縁部にファスニングテープ１２が配置され、前身頃５の裏面シート３表面にファスニングテープ６を接合するためのフロントパッチ１３が配置されている。
【００２５】
図２は、図１とは異なる例を示しており、本発明の使い捨ておむつを示す一部切り欠き平面図である。なお、図２において、図１と同一部分には同じ符号が付してあり、重複する部分の説明は省略する。
図２において、表面シート２上には、１枚のシートからなるシート部材８が配置され、シート部材８の股下領域７の長手方向中央部には、第１の吸収体４の狭幅に形成された両側縁の近傍に沿って、長方形状の開口部１４が形成されており、さらに、シート部材８の開口部１４の両側縁部とシート部分８の外側の両側縁部の間には、長手方向に第２の吸収体９が配置されている。
【００２６】
なお、図２では、第２の吸収体９をシート部材８の開口部１４の両側縁にそれぞれ配置した例を示したが、開口部１４を囲むようにして第２の吸収体をシート部材８の開口部周円全体に配置しても良い。
【００２７】
図３は、図１に示す本発明の使い捨ておむつ１をＸ−Ｘ線に沿って切断した状態を示す
断面図である。図３において、使い捨ておむつ１は、表面シート２と、裏面シート３と、表裏面シート２、３の間に配置された第１の吸収体４からなり、表面シート２上には、第１の吸収体４の両側縁部からおむつ１の両側縁部の脚周り弾性部材１０が配置されている領域の近傍にかけてシート部材８が配置されており、シート部材８のおむつ１の外側の側縁部、すなわち脚周り弾性部材１０が配置されている側の側縁部が、表面シート２に接合され、おむつ１の中心部側の側縁部、すなわち第１の吸収体４側の側縁部が、非接合状態で自由縁になっている。さらに、シート部材８には、シート部材８で包まれるようにして第２の吸収体９が配置されている。
【００２８】
なお、図３では、シート部材８が１枚のウェブで形成され、このウェブで包まれるようにして第２の吸収体９が配置されている例を示したが、シート部材を２枚のウェブで形成し、２枚のウェブの間に第２の吸収体を配置しても良い。この場合、２枚のウェブは、両方が親水性であっても良く、あるいは、第１の吸収体側に位置するウェブが撥水性であっても良い。
【００２９】
図４は、図１に示す本発明の使い捨ておむつ１をＸ−Ｘ線に沿って切断した状態を示す断面図であり｝図３とは異なる例を示している。
図４において、使い捨ておむつ１には、脚周り弾性部材１０の内側近傍に起立点を有する立体ギャザー１５が配置されている。このように、立体ギャザー１５を配置することにより、漏れ防止効果をより高めることができる。
【００３０】
図５は、図１に示す本発明の使い捨ておむつ１をＸ−Ｘ線に沿って切断した状態を示す断面図であり、図３及び図４とは異なる例を示している。
図５において、使い捨ておむつ１には、シート部材８の第１の吸収体４側の自由縁の側縁部に伸縮弾性部材１６が伸長状態で配置されている。このように、シート部材８に伸縮弾性部材１６を配置することにより、後述するように、おむつ装着時に排泄物を収納する
ポケット構造を形成し易くなる。
【００３１】
図６は、図１に示す本発明の使い捨ておむつ１をＸ−Ｘ線に沿って切断した状態を示す断面図であり、図３〜図５とは異なる例を示している。
図６において、使い捨ておむつ１には、表面シート２と裏面シート３の間及び第１の吸収体４と裏面シート３の間に、複数本の伸縮弾性部材１７が伸長状態で配置されている。
このように、裏面シート３上に伸縮弾性部材弾性部材１７を配置することにより、後述するように、おむつ装着時に排泄物を収納するポケット構造を形成し易くなる。
【００３２】
なお、図６では、伸縮弾性部材１７を、表面シート２と裏面シート３の間及び第１の吸収体４と裏面シート３の間に配置した例を示したが、表面シート２と裏面シート３の間のみに配置しても良く、あるいは、第１の吸収体４と裏面シート３の間のみに配置しても良い。
また、図６の例においても、図５に示すように、シート部材８の自由縁の側縁部に伸縮弾性部材１６を配置することも可能である。
【００３３】
図７は、図１に示す使い捨ておむつ１を装着した状態を模式的に示した平面図である。
なお、図７では、内容を明瞭にするため、第２の吸収体、ウエスト周り弾性部材、フロントパッチの記載は省略した。
図７において、おむつ装着時には、おむつ１が幅方向に圧縮され、股下領域７の第１の吸収体４の幅が狭い領域では、一対のシート部材８の間隔が狭くなっているが、前後身頃５、６側の第１の吸収体４の幅が広い領域では、シート部材８の間隔は股下領域ほど狭まることがなく広くなっている。排泄物は主としてこのシート部材の間隔が広くなっている領域から第１の吸収体に吸収される。
【００３４】
図８は、図７に示す使い捨ておむつ１をＹ−Ｙ線に沿って切断した状態を示す断面図である。
図８において、使い捨ておむつ１は、これを装着した場合には幅方向に圧縮され、一対
のシート部材８の間隔が狭くなるが、同時に、おむつが着用者の衣類側、すなわち、裏面シート側に湾曲してシート部材８との間にポケット構造１８が形成されるため、排泄物をポケット構造１８に収容することが可能となり、漏れ防止効果を向上することができる。
また、第１の吸収体４は、股下領域において狭幅に形成されているため、おむつを装着した際に股下領域のフィット性が良好となり、優れた装着感を得ることができる。
【００３５】
図９は、図７に示す使い捨ておむつ１をＹ−Ｙ線に沿って切断した状態を示す断面図であり、図８とは異なる例を示している。
図９において、使い捨ておむつ１は、これを装着した際に、幅方向の圧縮が図８に示した場合よりも大きく、股下領域において一対のシート部材８が重なり合っている状態を示している。このような場合でも、図７で説明したように、前後身頃側ではシート部材の間隔は保たれているため、この部分からポケット構造１８に排泄物を収容することが可能である。さらに、ポケット構造１８に収容されない排泄物は、シート部材８に配置した第２吸収体９により吸収することができるため、漏れ防止効果を向上することができる。
【００３６】
なお、図８及び図９においても、図４に示すように、おむつの１の両側縁部に立体ギャザーを配置することが可能であり、立体ギャザーを配置することにより、漏れ防止効果をより向上させることが可能となる。
【００３７】
また、図８及び図９に示すような、装着時にポケット構造を形成する本発明の使い捨ておむつを形成するためには、股下領域におけるおむつの幅方向の少なくとも３分の１の領域を低剛度領域とする、第１の吸収体を薄型の吸収体で形成する、あるいは第１の吸収体に長手方向に沿って数本のスリット状のエンボス加工を施す等の手段を用いることが有効であり、これらの手段を各々単独で用いても良く、あるいは複数の手段を組み合せて用いても良い。
【００３８】
以下、本発明において使用される材料について説明するが、本発明は、これらによって何等制限されるものではない。
本発明において、液透過性の表面シートとしては、ポリエチレン、ポリプロピレン、ポリエステル、その他の熱可塑性樹脂を原料とした合成繊維から成る不織布に親水化処理を施したものが用いられる。
【００３９】
本発明において、液不透過性かつ通気性の裏面シートとしては、微孔を設けたポリエチレンシート、あるいは熱可塑性樹脂にフィラーを加えて延伸したシートのような透湿性のある液不透過性のシートが用いられる。このようなシートを用いると、ムレが改善されるため快適な着用感が得られる。さらに、このようなシートの外側に不織布からなるカバーシートを貼り合わせた積層構造のシートを用いることもできる。
【００４０】
本発明において、第１の吸収体及び第２の吸収体としては、通常の使い捨ておむつのような吸収性物品に使用されるものであればいずれも使用することができる。すなわち、綿状パルプと高吸収性ポリマー（ＳＡＰ）を併用したもの、さらに熱溶融性繊維を加えたもの等を使用することができ、全体をティシュのような親水性シートで包まれているものが好ましい。その他、親水性シートの片面にＳＡＰの層を設けたもの、２枚の親水性シートの間にＳＡＰを挟持したもの等のシート状の吸収体も使用することができる。
【００４１】
また、本発明において、第１の吸収体の股下領域での幅寸法は、着用者の体形により異なるが、４０〜３００ｍｍであることが好ましく、６０〜１２０ｍｍであることがより好ましい。第１の吸収体の幅寸法が４０ｍｍ未満になると吸収性物品の吸収性能が低下してしまい、一方、幅寸法が３００ｍｍを超えて広くなると吸収性物品を装着した場合に股下領域でのフィット性が悪くなる。
また、第２の吸収体の股下領域での幅寸法は、片側で４０〜１６０ｍｍであることが好ましく、５０〜１２０ｍｍであることがより好ましい。第２の吸収体の幅寸法が４０ｍｍ未満になると吸収性物品の吸収性能が低下してしまい、一方、１６０ｍｍを超えて広くなると、吸収性物品を装着した場合に第２の吸収体を配置した相対するシート部材が接触し易くなり、排泄物を収納するためのポケット構造が十分に機能しなくなる。
【００４２】
本発明において、シート部材としては、親水性のウェブで形成され、ポリエチレン、ポリプロピレン、ポリエステル、その他の熱可塑性樹脂を原料とした合成繊維から成る不織布に親水化処理を施したものが用いられる。但し、シート部材を２枚のウェブで形成する場合には、２枚とも親水性のウェブで形成しても良いが、第１の吸収体側に位置するウェブは、親水化処理を施さない犠水性の不織布で形成しても良く、あるいは液不透過性のシートで形成しても良い。
【００４３】
本発明において、シート部材の端部領域、バックシート面、脚周り開口部、及びウエスト周り開口部の位置に配置される伸縮弾性部材としては、天然系、合成系のウレタン糸、糸ゴム、平ゴム等の通常の使い捨ておむつなどに使用される弾性体をそのまま使用することができ、これらの伸縮弾性部材を伸長状態で配置し、ホットメルト接着剤などにより接着固定される。
【００４４】
本発明において、吸収性物品には、その長手方向に沿って一対の立体ギャザーを配置することが好ましい。立体ギャザーは、各種の素材により形成することができる。例えば、ポリエチレン、ポリプロピレン、ポリエステル、その他の熱可塑性樹脂を原料とした合成繊維から成る通気性を有する擾水性の不織布を用いて形成することができる。あるいは、サイドフラップを形成する不織布として広幅のものを用い、サイドフラップを形成すると共に吸収性物品の内側へ延出する部分で立体ギャザーを形成しても良い。さらに、表面シートとして広幅のものを用い、表面シートの吸収性物品の両側縁から延出する部分で立体ギャザーを形成しても良い。
【産業上の利用可能性】
【００４５】
本発明の吸収性物品は、これを構成する第１の吸収体が股下領域において狭幅に形成されており、また、表面シート上には、第１の吸収体の狭幅に形成された両側縁近傍から吸収性物品の長手方向両側縁近傍にかけてシート部材が配置されており、さらに、シート部材には第２の吸収体が配置されている。このような構成を有する本発明の吸収性物品は、これを装着した場合、第１の吸収体が狭幅に形成されているため、着用者の体形や動きに合わせて股下領域が追従し、股下領域においてフィット性が良好となり、また、股下領域において、吸収性物品が衣類側に湾曲してシート部材との間にポケット構造が形成されるため、排泄物が収納され易くなり、さらに、排泄物が、ポケット構造に収納されない場合でも、ポケット構造を形成するシート部材に配置した第２の吸収体により吸収されるため、より確実に漏れ防止効果を向上させることができるものであり、乳幼児用を始めとして成人失禁者用の使い捨ておむつや、尿パッドとして有用である。
【図面の簡単な説明】
【００４６】
【図１】本発明の吸収性物品である使い捨ておむつを表面シート側から見た状態を示す一部切り欠き平面図である。
【図２】本発明の吸収性物品である使い捨ておむつを表面シート側から見た状態の他の例を示す一部切り欠き平面図である。
【図３】図１に示す本発明の使い捨ておむつをＸ−Ｘ線に沿って切断した状態を示す断面図である。
【図４】図１に示す本発明の使い捨ておむつをＸ−Ｘ線に沿って切断した状態の他の例を示す断面図である。
【図５】図１に示す本発明の使い捨ておむつをＸ−Ｘ線に沿って切断した状態の他の例を示す断面図である。
【図６】図１に示す本発明の使い捨ておむつをＸ−Ｘ線に沿って切断した状態の他の例を示す断面図である。
【図７】図１に示す使い捨ておむつを装着した状態を模式的に示した平面図である。
【図８】図７に示す使い捨ておむつをＹ−Ｙ線に沿って切断した状態を示す断面図である。
【図９】図７に示す使い捨ておむつをＹ−Ｙ線に沿って切断した状態の他の例を示す断面図である。
【符号の説明】
【００４７】
１：吸収性物品（使い捨ておむつ）
２：液透過性の表面シート
３：液不透過性の裏面シート
４：第１の吸収体
５：前身頃
６：後身頃
７：股下領域
８：シート部材
９：第２の吸収体
１０：脚周り弾性部材
１１：ウエスト周り弾性部材
１２：ファスニングテープ
１３：フロントパッチ
１４：開口部
１５：立体ギャザー
１６：伸縮弾性部材
１７：伸縮弾性部材
１８：ポケット構造
【図１】
2006102001.tif 000003
【図２】
2006102001.tif 000004
【図３】
2006102001.tif 000005
【図４】
2006102001.tif 000006
【図５】
2006102001.tif 000007
【図６】
2006102001.tif 000008
【図７】
2006102001.tif 000009
【図８】
2006102001.tif 000010
【図９】
2006102001.tif 000011